(57)【特許請求の範囲】
【請求項１】
タービンブレードの翼根部を収納するロータディスクの翼溝部に生じる応力腐食割れを、超音波探傷プローブを前記ロータディスクの側部に接触させて検出するロータディスクの翼溝部の探傷装置であって、
前記翼溝部は、前記ロータディスクの外周端部において外方に向かって開口するとともに前記ロータディスクの径方向に対して斜めに形成された角部を有するように構成されており、
前記ロータディスクの側部上に配置された際に、前記角部に対して超音波の入射面が略平行になるように構成されたウェッジ上に設けられることにより、前記角部を検出する位置監視用プローブと、
前記翼溝部の前記応力腐食割れを検出する探傷用プローブと、
前記位置監視用プローブと前記探傷用プローブとを連結して、前記位置監視用プローブと前記探傷用プローブとの間を所定距離で一定に保つ連結手段と、を備え、
前記所定距離は、前記翼溝部の基準となる箇所から前記翼溝部の前記応力腐食割れの位置までの距離に基づいて決定されることを特徴とするロータディスクの翼溝部の探傷装置。
【請求項２】
前記探傷用プローブは、前記ロータディスクの側部上に配置された際に、超音波の入射面が前記位置監視用プローブにおける超音波の入射面と略平行になるように構成された第２のウェッジ上に設けられることを特徴とする請求項１に記載のロータディスクの翼溝部の探傷装置。
【請求項３】
前記所定距離は、前記翼溝部の底面から前記翼溝部の側面の上端までの高さと同一であることを特徴とする請求項１又は２に記載のロータディスクの翼溝部の探傷装置。
【請求項４】
前記探傷用プローブから発信された超音波の反射波を受信して、前記探傷用プローブと前記ロータディスクとの接触状況を確認する受信用プローブを更に備えることを特徴とする請求項１〜３の何れか１項に記載のロータディスクの翼溝部の探傷装置。
【請求項５】
前記翼溝部の基準となる前記箇所で反射した超音波の反射波の強度が第１閾値よりも大きいか否かを判定する判定手段を更に備えることを特徴とする請求項１〜４のうち何れか一項に記載のロータディスクの翼溝部の探傷装置。
【請求項６】
前記位置監視用プローブの超音波振動子の径を、前記探傷用プローブの超音波振動子の径よりも大きくすることを特徴とする請求項１〜５のうち何れか一項に記載のロータディスクの翼溝部の探傷装置。
【請求項７】
前記位置監視用プローブから発信される超音波の波長を、前記探傷用プローブから発信される超音波の波長よりも短くすることを特徴とする請求項１〜６のうち何れか一項に記載の探傷装置。
【請求項８】
ロータディスクの翼溝部の基準となる箇所を検出する位置監視用プローブと、前記翼溝部の応力腐食割れを検出する探傷用プローブと、前記位置監視用プローブと前記探傷用プローブとを連結して、前記位置監視用プローブと前記探傷用プローブとの間を所定距離で一定に保つ連結手段と、を備え、前記位置監視用プローブは、前記ロータディスクの側部上に配置された際に、前記ロータディスクの外周端部において外方に向かって開口するとともに前記ロータディスクの径方向に対して斜めに形成された角部を有するように構成された翼溝部において、前記角部に対して超音波の入射面が略平行になるように構成されたウェッジ上に設けられた探傷装置を用いた応力腐食割れの探傷方法であって、
前記位置監視用プローブから超音波を発信するステップと、
前記位置監視用プローブから発信された超音波の反射波の強度と第１閾値とを比較して、前記位置監視用プローブの設置位置が正確か否かを判定するステップと、
前記反射波の強度が前記第１閾値以下の場合に、前記位置監視用プローブ及び前記探傷用プローブを移動させるステップと、を備えることを特徴とするロータディスクの翼溝部の探傷装置を用いた応力腐食割れの探傷方法。
【請求項９】
前記探傷用プローブは、前記ロータディスクの側部上に配置された際に、超音波の入射面が前記位置監視用プローブにおける超音波の入射面と略平行になるように構成された第２のウェッジ上に設けられることを特徴とする請求項８に記載のロータディスクの翼溝部の探傷装置を用いた応力腐食割れの探傷方法。
【請求項１０】
前記探傷装置は、前記探傷用プローブから発信された超音波の反射波を受信して、前記探傷用プローブと前記ロータディスクとの接触状況を確認する受信用プローブを更に備えており、
探傷用プローブから超音波を発信するステップと、
前記探傷用プローブから発信されて前記翼溝部の側面で反射した反射波を前記受信用プローブで受信し、当該反射波の強度と第２閾値とを比較して前記探傷用プローブと前記ロータディスクの側面との接触状態を確認するステップと、
前記反射波の強度が前記第２閾値以下の場合に、前記探傷用プローブと前記ロータディスクの接触状態を調整するステップと、を備えることを特徴とする請求項８又は９に記載の応力腐食割れの探傷方法。
【発明の詳細な説明】
【技術分野】
【０００１】
本発明は、蒸気タービンのタービンブレードの翼根部を収納するロータディスクの翼溝部に生じる応力腐食割れを、超音波を用いて検出するロータディスクの翼溝部の探傷装置、ロータディスクの翼溝部の探傷装置を用いた探傷方法及び探傷用プローブの接触確認方法に関する。
【背景技術】
【０００２】
発電プラントにおける高・中圧蒸気タービンのロータは、高い温度条件で運転されるために、長期間使用されると、応力を受ける部位に応力腐食割れが発生することがある。この応力は、タービンブレードの翼根部が嵌合されているロータディスクの翼溝部の肩部に作用するため、当該肩部はタービンロータの余寿命を評価する上で重要な部位である。しかしながら、この翼溝部には翼根部が嵌合されているために、表面から見えない。そこで、従来から超音波を利用した応力腐食割れの非破壊検出方法が採用されてきた。例えば、特許文献１には、図１１に示すように、ロータディスクの翼溝部を超音波により探傷する探傷装置が開示されている。この探傷装置は、探傷用プローブ１２と、探傷用プローブ１２をロータディスクの半径方向へ移動させる移動台１３と、移動台１３を支持する支持台１１と、を備えている。ロータディスクの翼溝部を検査する場合には、探傷装置の支持台１１をロータディスクの側面に密着するように配置し、探傷用プローブ１２が支持台１１から落下しないように探傷用プローブ１２を手で押さえながら、支持台１１をロータディスクに沿って走査させることによって応力腐食割れを検出している。
【先行技術文献】
【特許文献】
【０００３】
【特許文献１】特開２００９−１８６４４６号公報
【発明の概要】
【発明が解決しようとする課題】
【０００４】
しかしながら、上述した検査を手探傷で行うと、探傷用プローブの微細な位置の違いや傾きの違いによって検査結果が異なるため、応力腐食割れの大きさや高さ位置等を正確に検出することは非常に困難である。即ち応力腐食割れの検出精度が作業員の技量によって影響を受けるおそれがあるという問題点があった。
【０００５】
そこで、本発明は係る従来技術の問題点に鑑み、探傷用プローブが測定に最適な状態にあることを確認しながら、探傷作業を実施することで応力腐食割れを正確に検出可能なタービンロータの翼溝部の探傷装置、タービンロータの翼溝部の探傷装置を用いた探傷方法及び探傷用プローブの接触確認方法を提供する。
【課題を解決するための手段】
【０００６】
上述した問題を解決する本発明に係るロータディスクの翼溝部の探傷装置は、タービンブレードの翼根部を収納するロータディスクの翼溝部に生じる応力腐食割れを、超音波探傷プローブを前記ロータディスクの側部に接触させて検出するロータディスクの翼溝部の探傷装置であって、
前記翼溝部は、前記ロータディスクの外周端部において外方に向かって開口するとともに前記ロータディスクの径方向に対して斜めに形成された角部を有するように構成されており、
前記ロータディスクの側部上に配置された際に、前記角部に対して超音波の入射面が略平行になるように構成されたウェッジ上に設けられることにより、前記角部を検出する位置監視用プローブと、
前記翼溝部の前記応力腐食割れを検出する探傷用プローブと、
前記位置監視用プローブと前記探傷用プローブとを連結して、前記位置監視用プローブと前記探傷用プローブとの間を所定距離で一定に保つ連結手段と、を備え、
前記所定距離は、前記翼溝部の基準となる箇所から前記翼溝部の前記応力腐食割れの位置までの距離に基づいて決定されることを特徴とする。
【０００７】
上記ロータディスクの翼溝部の探傷装置によれば、位置監視用プローブと探傷用プローブとを連結する連結手段を備え、位置監視用プローブと連動して探傷用プローブが位置監視用プローブと同じ方向へ移動するように構成されているため、翼溝部の基準となる箇所を検出可能な位置に位置監視用プローブを設置することで、翼溝部の応力腐食割れの探傷に最適な位置に探傷用プローブを配置することができる。これにより、作業員の技量にかかわらず、応力腐食割れの大きさ、高さ位置等を正確に検出することができる。また、探傷用プローブの位置決めが容易になり、走査を短時間で実施することができる。
また前記探傷用プローブは、前記ロータディスクの側部上に配置された際に、超音波の入射面が前記位置監視用プローブにおける超音波の入射面と略平行になるように構成された第２のウェッジ上に設けられてもよい。
【０００８】
また、前記所定距離は、前記翼溝部の底面から前記翼溝部の側面の上端までの高さと同一であることとしてもよい。
このように、位置監視用プローブから探傷用プローブまでの距離と、翼溝部の底面から翼溝部の側面の上端までの距離を同一にすることで、探傷用プローブが正確に配置されていることを現場で容易に把握することができる。
【０００９】
また、前記探傷用プローブから発信された超音波の反射波を受信して、前記探傷用プローブと前記ロータディスクとの接触状況を確認する受信用プローブを更に備えることとしてもよい。
【００１０】
このように、受信用プローブを備えているため、探傷用プローブから発信された超音波の反射波を受信用プローブで受信することができる。そして、この反射波の強度によって、探傷用プローブがロータディスクに良好に接触しているか否かを判定することができる。これにより、探傷用プローブの接触不良をなくすことができる。また、探傷用プローブを応力腐食割れの探傷に最適な位置に配置することができることと相俟って、応力腐食割れ検知の精度を向上させることができる。
【００１１】
また、前記翼溝部の基準となる前記箇所で反射した超音波の反射波の強度が第１閾値よりも大きいか否かを判定する判定手段を更に備えていてもよい。
【００１２】
このように、翼溝部の基準となる箇所で反射した超音波の反射波が第１閾値よりも大きいか否かを判定手段で確認することで、位置監視用プローブを正確に所望の位置に設置することができる。
【００１３】
また、前記位置監視用プローブの超音波振動子の径を、前記探傷用プローブの超音波振動子の径よりも大きくしてもよい。
【００１４】
このように、位置監視用プローブの振動子の径は、探傷用プローブの振動子の径よりも大きいため、超音波の指向性を鋭くすることができる。これにより、ロータディスクの側面側から翼溝部の基準となる箇所を精度良く検出できる位置を限定することが可能となる。そして、この位置に位置監視用プローブを設置することで、連結手段で連結されている探傷用プローブを翼溝部の応力腐食割れの探傷に最適な位置に配置することができる。
【００１５】
また、前記位置監視用プローブから発信される超音波の波長を、前記探傷用プローブから発信される超音波の波長よりも短くしてもよい。
【００１６】
このように、位置監視用プローブから発信される超音波は、探傷用プローブから発信される超音波よりも波長が短いため、超音波の指向性を鋭くすることができる。これにより、ロータディスクの側面側から翼溝部の基準となる箇所を精度良く検出できる位置を限定することが可能となる。そして、この位置に位置監視用プローブを設置することで、連結手段で連結されている探傷用プローブを翼溝部の応力腐食割れの探傷に最適な位置に配置することができる。
【００１７】
また、本発明に係る応力腐食割れの探傷方法は、ロータディスクの翼溝部の基準となる箇所を検出する位置監視用プローブと、前記翼溝部の応力腐食割れを検出する探傷用プローブと、前記位置監視用プローブと前記探傷用プローブとを連結して、前記位置監視用プローブと前記探傷用プローブとの間を所定距離で一定に保つ連結手段と、を備え、前記位置監視用プローブは、前記ロータディスクの側部上に配置された際に、前記ロータディスクの外周端部において外方に向かって開口するとともに前記ロータディスクの径方向に対して斜めに形成された角部を有するように構成された翼溝部において、前記角部に対して超音波の入射面が略平行になるように構成されたウェッジ上に設けられた探傷装置を用いた応力腐食割れの探傷方法であって、
前記位置監視用プローブから超音波を発信するステップと、
前記位置監視用プローブから発信された超音波の反射波の強度と第１閾値とを比較して、前記位置監視用プローブの設置位置が正確か否かを判定するステップと、
前記反射波の強度が前記第１閾値以下の場合に、前記位置監視用プローブ及び前記探傷用プローブを移動させるステップと、を備えることを特徴とする。
【００１８】
上記探傷方法によれば、位置監視用プローブから発信された超音波の反射波の強度が第１閾値よりも大きいか否かを判定するステップを有するため、位置監視用プローブが翼溝部の基準となる箇所を検出可能な位置に設置されているか否かを確認することができる。具体的には、超音波の反射波の強度が第１閾値よりも大きい場合、位置監視用プローブは翼溝部の基準となる箇所を検出可能な位置に設置されている、即ち所望の位置に設置されていることを確認できる。一方、超音波の反射波の強度が第１閾値以下の場合、位置監視用プローブは翼溝部の基準となる箇所を検出可能な位置に設置されていない、即ち所望の位置に設置されていないことを確認できる。
また、位置監視用プローブが翼溝部の基準となる箇所を検出可能な位置に設置されていないときは、位置監視用プローブを移動させるステップを有するため、翼溝部の基準となる箇所を検出可能な位置に位置監視用プローブを設置することができる。
そして、位置監視用プローブが翼溝部の基準となる箇所を検出可能な位置に設置されているとき、位置監視用プローブに連結手段で連結されている探傷用プローブは翼溝部の応力腐食割れの探傷に最適な位置に配置されていることとなる。このため、その位置で超音波を発信することで、応力腐食割れの大きさ、高さ位置等を正確に計測することができる。したがって、作業員の技量にかかわらず、応力腐食割れの大きさ等を正確に検出することができる。また、探傷用プローブの位置決めが容易なので、走査を短時間で実施することができる。
また前記探傷用プローブは、前記ロータディスクの側部上に配置された際に、超音波の入射面が前記位置監視用プローブにおける超音波の入射面と略平行になるように構成された第２のウェッジ上に設けられていてもよい。
【００１９】
また、前記探傷装置は、前記探傷用プローブから発信された超音波の反射波を受信して、前記探傷用プローブと前記ロータディスクとの接触状況を確認する受信用プローブを更に備えており、
探傷用プローブから超音波を発信するステップと、
前記探傷用プローブから発信されて前記翼溝部の側面で反射した反射波を前記受信用プローブで受信し、当該反射波の強度と第２閾値とを比較して前記探傷用プローブと前記ロータディスクの側面との接触状態を確認するステップと、
前記反射波の強度が前記第２閾値以下の場合に、前記探傷用プローブと前記ロータディスクの接触状態を調整するステップと、を備えてもよい。
【００２０】
上記探傷方法によれば、探傷用プローブから発信された超音波の反射波の強度が第２閾値よりも大きいか否かを判定するステップを有するため、探傷用プローブがロータディスクの側面に十分に接触しているか否かを確認することができる。具体的には、受信用プローブで受信した超音波の反射波の強度が第２閾値よりも大きい場合、探傷用プローブはロータディスクの側面に十分に接触していることを確認できる。一方、超音波の反射波の強度が第２閾値以下の場合、探傷用プローブはロータディスクの側面に十分に接触していないことを確認できる。
また、探傷用プローブがロータディスクの側面に十分に接触していないときは、探傷用プローブとロータディスクとの接触状態を確認するステップを有するため、探傷用プローブをロータディスクの側面に十分に接触させることができる。
そして、探傷用プローブがロータディスクの側面に十分に接触しているとき、そのまま、探傷作業を継続することで、応力腐食割れの大きさ、高さ位置等を正確に計測することができる。
【００２１】
また、本発明に係る探傷用プローブの接触確認方法は、超音波を発信し、且つ当該超音波の反射波を受信してロータディスクの翼溝部の応力腐食割れを検出する探傷用プローブと、前記探傷用プローブから発信された超音波の反射波を受信する受信用プローブと、を備える探傷装置を用いて前記探傷用プローブと前記ロータディスクとの接触状態を確認する探傷用プローブの接触確認方法であって、
探傷用プローブから超音波を発信するステップと、
前記探傷用プローブから発信されて前記翼溝部の側面で反射した反射波を前記受信用プローブで受信し、当該反射波の強度と第２閾値とを比較して前記探傷用プローブと前記ロータディスクの側面との接触状態を確認するステップと、
前記反射波の強度が前記第２閾値以下の場合に、前記探傷用プローブと前記ロータディスクの接触状態を調整するステップと、を備える。
【００２２】
上記探傷用プローブの接触確認方法によれば、探傷用プローブから発信された超音波の反射波の強度が第２閾値よりも大きいか否かを判定するステップを有するため、探傷用プローブがロータディスクの側面に十分に接触しているか否かを確認することができる。具体的には、受信用プローブで受信した超音波の反射波の強度が第２閾値よりも大きい場合、探傷用プローブはロータディスクの側面に十分に接触していることを確認できる。一方、超音波の反射波の強度が第２閾値以下の場合、探傷用プローブはロータディスクの側面に十分に接触していないことを確認できる。
また、探傷用プローブがロータディスクの側面に十分に接触していないときは、探傷用プローブとロータディスクとの接触状態を確認するステップを有するため、探傷用プローブをロータディスクの側面に十分に接触させることができる。
【発明の効果】
【００２３】
本発明によれば、探傷用プローブが測定に最適な状態にあることを確認しながら、探傷作業を実施することで応力腐食割れを正確に検出可能なタービンロータの翼溝部の探傷装置及びこの装置を用いた探傷方法を提供することができる。
【図面の簡単な説明】
【００２４】
【図１】本発明の第一実施形態に係る探傷装置をロータディスクに設置した状態を示す斜視図である。
【図２】ロータディスクに探傷装置を設置した状態を拡大して示す側断面図である。
【図３】超音波の照射範囲を示す概念図である。
【図４】探傷装置を用いた応力腐食割れｃの探傷フロー図である。
【図５】形状反射エコーの高さを示す図である。
【図６】本発明の第二実施形態に係る探傷装置をロータディスクに設置した状態を拡大して示す側断面図である。
【図７】探傷装置を用いた応力腐食割れｃの探傷フロー図である。
【図８】受信用プローブを他の位置に設置した状態を示す側面図である。
【図９】本発明の第三実施形態に係る探傷装置をロータディスクに設置した状態を拡大して示す側断面図である。
【図１０】探傷装置を用いた応力腐食割れｃの探傷フロー図である。
【図１１】従来のロータディスクの翼溝部の探傷装置の斜視図である。
【発明を実施するための形態】
【００２５】
以下、図面を参照して本発明の好適な実施形態を例示的に詳しく説明する。なお、以下の実施形態に記載されている構成部品の寸法、材質、形状、その相対的配置等は特に特定的な記載がない限りは、この発明の範囲をそれに限定する趣旨ではなく、単なる説明例に過ぎない。
【００２６】
図１は、本発明の第一実施形態に係る探傷装置をロータディスクに設置した状態を示す斜視図である。また、図２は、ロータディスク１に探傷装置を設置した状態を拡大して示す側断面図である。
図１及び図２に示すように、ロータディスク１の外周端部には、全周にわたり外方に向かって開口した翼溝部２が設けられている。タービンブレード４の下部には一体に翼根部５が形成され、タービンブレード４の翼根部５がロータディスク１の翼溝部２に嵌合されることにより、複数のタービンブレード４がロータディスク１の外周端部に接続されている。
【００２７】
タービンブレード４の外周端には、タービンブレード４を所定枚数毎に連結するシュラウド６が設けられている。また、ロータディスク１には、翼溝部２に対面した位置に、ロータディスク１の周方向に沿って傾斜面からなる肩部３が形成されている。
【００２８】
発電プラントにおける高・中圧蒸気タービンは、高い温度条件で運転されるために、長期間使用されると、繰り返し応力を受ける部位には応力腐食割れｃが発生することがある。この応力腐食割れｃを探傷する探傷装置について以下で説明する。
【００２９】
また、本発明に係るロータディスク１の翼溝部２の探傷装置（以下、ロータディスク１の翼溝部２の探傷装置を単に探傷装置１０という）は、翼溝部２の下側角部２ａを検出するための位置監視用プローブ１１と、亀裂等の応力腐食割れｃを検出するための探傷用プローブ１２と、位置監視用プローブ１１と探傷用プローブ１２とを連結する連結材１３と、制御装置１４と、を備えている。
【００３０】
位置監視用プローブ１１及び探傷用プローブ１２とロータディスク１との間には、それぞれウェッジ１５が介在しており、位置監視用プローブ１１及び探傷用プローブ１２は、ウェッジ１５によってロータディスク１の側面１ａに対して斜めに設置されている。これにより、位置監視用プローブ１１及び探傷用プローブ１２は、ロータディスク１の側面１ａに対して斜めに超音波を入射する。このとき、位置監視用プローブ１１から発信される超音波の入射角度αが、ロータディスク１の側面１ａに対して４５度となるように位置監視用プローブ１１を配置する。入射角度αを４５度とすることにより、位置監視用プローブ１１から発信された超音波が翼溝部２の下側角部２ａで反射する反射エコー（以下、翼溝部２の下側角部２ａで反射した反射エコーを形状反射エコーという）を最も効率良く受信することができる。
【００３１】
また、位置監視用プローブ１１から照射された超音波は、ウェッジ１５を介してロータディスク１に入射し、翼溝部２の下側角部２ａで反射する。そして、形状反射エコーは、ロータディスク１からウェッジ１５を介してそれぞれ位置監視用プローブ１１に受信される。
位置監視用プローブ１１は、形状反射エコーの高さが最も高くなる位置（以下、所望の位置という）、即ち翼溝部２の下側角部２ａから下方へ４５度の延長線上に設置されている。位置監視用プローブ１１が所望の位置から上下方向に離間するにしたがって形状反射エコーの高さは低くなる。
また、探傷用プローブ１２から照射された超音波は、ウェッジ１５を介してロータディスク１に入射し、応力腐食割れｃで反射する。そして、反射エコーは、ロータディスク１からウェッジ１５を介して探傷用プローブ１２に受信される。
【００３２】
連結材１３は、一端が位置監視用プローブ１１に、他端が探傷用プローブ１２にそれぞれ接続されている。
連結材１３と位置監視用プローブ１１、連結材１３と探傷用プローブ１２は摺動可能に接続されている。これにより、傾斜角の異なる複数種のウェッジ１５を用いた場合にも、各ウェッジ１５に位置監視用プローブ１１及び探傷用プローブ１２をそれぞれ密着させることができる。
位置監視用プローブ１１と探傷用プローブ１２とは連結手段で連結されているため、位置監視用プローブ１１と連動して探傷用プローブ１２を位置監視用プローブ１１と同じ方向へ移動させることができる。また、位置監視用プローブ１１及び探傷用プローブ１２を移動させる際に、位置監視用プローブ１１と探傷用プローブ１２との距離を一定に維持することができる。
本実施形態では、位置監視用プローブ１１の超音波振動子から探傷用プローブ１２の超音波振動子までの距離が、翼溝部２の溝の高さＨと同一になるように、連結材１３の長さが調整されている。これにより、位置監視用プローブ１１を所望の位置に設置することにより、応力腐食割れｃから反射する反射エコーの高さが最も高くなる位置に探傷用プローブ１２を配置することができる。なお、本実施形態では、位置監視用プローブ１１の超音波振動子から探傷用プローブ１２の超音波振動子までの距離を、翼溝部２の溝の高さＨと同一になる場合について説明したが、これに限定されるものでは無く、利用するウェッジ１５の角度等によって適宜変更することできる。
【００３３】
図３は、超音波の照射範囲を示す概念図である。
図３に示すように、位置監視用プローブ１１や探傷用プローブ１２の超音波振動子１６から発射された超音波の指向角θ０は、θ０≒７０λ／Ｄで表されることが知られている。θ０は波長λに比例し直径Ｄに反比例するので、指向性の良い超音波を照射させる場合には、高い周波数で大きい直径の超音波振動子１６を用いる。
位置監視用プローブ１１の超音波振動子１６は、探傷用プローブ１２の超音波振動子１６よりも径の大きいものが用いられている。また、位置監視用プローブ１１から発信される超音波は、探傷用プローブ１２から発信される超音波よりも波長が短くなるように設定されている。これにより、位置監視用プローブ１１は、翼溝部２の下側角部２ａを精度良く検出することができる。
【００３４】
探傷装置１０の制御装置１４は、位置監視用プローブ１１及び探傷用プローブ１２をそれぞれ制御すると共に、反射エコーの強度を監視するためのものである。具体的には、制御装置１４は、位置監視用プローブ１１及び探傷用プローブ１２に電気的信号を出力し、位置監視用プローブ１１及び探傷用プローブ１２から超音波を発信させる。
また、制御装置１４は、位置監視用プローブ１１で受信した形状反射エコーの強度に基づいて、当該形状反射エコーの高さＢが予め設定された下限値の監視レベルＥｃ（詳細は後述する）よりも大きいか否かを判定する。形状反射エコーの高さＢが監視レベルＥｃ以下の場合、警報を発する。また、監視レベルＥｃ以下であると判定した回数Ｎａをカウントする。例えば、形状反射エコーの高さＢが監視レベルＥｃ以下であると最初に判定された場合、回数Ｎａは１となる。そして、位置監視用プローブ１１の位置を移動させて位置調整をした後、再び測定したときに、形状反射エコーの高さＢが監視レベルＥｃ以下であると判定された場合、回数Ｎａは２となる。ただし、形状反射エコーの高さＢが監視レベルＥｃ以下であると判定されて、位置監視用プローブ１１の位置を移動させた後、再び測定したときに、形状反射エコーの高さＢが監視レベルＥｃを超えた場合、回数Ｎａはリセットされて０となる。
さらに、制御装置１４は、探傷用プローブ１２から出力された反射エコーの強度に基づいて、翼溝部２に存在する応力腐食割れｃの大きさ、高さ位置等を検出する。
【００３５】
次に、上述した構成からなる探傷装置１０を用いた応力腐食割れｃ位置の探傷方法について説明する。
図４は、探傷装置１０を用いた応力腐食割れｃの探傷フロー図である。
図４に示すように、まず、位置監視用プローブ１１をロータディスク１の全周のうちの代表位置における側面１ａに設置して、翼溝部２の下側角部２ａによる形状反射エコーの高さを複数の代表位置にて複数回測定するとともに、形状反射エコーの最大値（以下、形状反射エコー最大レベルＥｍａｘという）を取得する（ステップＳ１０）。
【００３６】
次に、取得された複数の形状反射エコーの高さの分布が正規分布に従うと仮定し、監視レベルＥｃを設定する（ステップＳ１２）。
監視レベルＥｃは、Ｅｃ＝Ｅｍａｘ×（１−ｋｅ）で算出される。ここで、ｋｅとは、形状反射エコーの高さ（Ｂ／Ｂ０）のばらつき係数ｋｅである。このばらつき係数ｋｅは、信頼区間を９５％と設定した場合、σを標準偏差とするとｋｅ＝２σとなる。なお、ばらつき係数ｋｅは、この値に限定されるものではなく、設計等により適宜決定される。
位置監視用プローブ１１で計測される形状反射エコーの高さが、図５に示すように、監視レベルＥｃを超えている場合、位置監視用プローブ１１は所望の位置に設置されているものとする。
一方、位置監視用プローブ１１で計測される形状反射エコーの高さが、監視レベルＥｃ以下の場合、位置監視用プローブ１１の位置は上記所望の位置からずれているものとする。詳細は後述するが、係る場合には、位置監視用プローブ１１を上下に移動させて、所望の位置に位置監視用プローブ１１を設置する。
【００３７】
次に、位置監視用プローブ１１を移動させる回数の上限値Ｎｃを設定する（ステップＳ１４）。位置監視用プローブ１１を設置した位置が所望の位置からずれていると、形状反射エコーの高さが、監視レベルＥｃ以下となる。係る場合は、位置監視用プローブ１１を所望の位置に設置させるべく、位置監視用プローブ１１を上下方向に移動させる必要がある。このとき、位置監視用プローブ１１が所望の位置に移動できたか否かを、位置監視用プローブ１１から超音波を照射させて形状反射エコーの高さを確認することにより、判断する。位置監視用プローブ１１を移動させて、その後、位置監視用プローブ１１から超音波を照射して形状反射エコーの高さを確認するまでの一連の作業を１セットとして、これらの一連の作業を行う回数の上限値Ｎｃを設定する。本実施形態においては、上限値Ｎｃを１０回としたが、この回数に限定されるものではなく、設計等により適宜決定すればよい。
【００３８】
次に、探傷用プローブ１２をロータディスク１の側面１ａに配置して、探傷作業を開始する（ステップＳ１６）。まず、翼溝部２の下側角部２ａに向かって位置監視用プローブ１１から超音波を照射する。続いて、翼溝部２の下側角部２ａで反射した形状反射エコーを受信する。
次に、形状反射エコーの高さ（Ｂ／Ｂ０）が、監視レベルＥｃよりも大きいか否かを制御装置１４が判定する（ステップＳ１８）。
形状反射エコーの高さが監視レベルＥｃよりも大きいと判定された場合には、位置監視用プローブ１１は、所定の位置に設置されている。係る場合は、続いて、探傷用プローブ１２から超音波を照射して応力腐食割れｃの大きさ、高さ位置を検出する。応力腐食割れｃの大きさ等を検出したら、ロータディスク１の側面１ａに沿って周方向へ探傷装置１０を移動させる（ステップＳ２０）。
【００３９】
ステップＳ１８において、形状反射エコーの高さが監視レベルＥｃ以下と判定された場合、位置監視用プローブ１１を上下方向に移動させる（ステップＳ２４）。
また、制御装置１４が、監視レベルＥｃ以下と判定された回数Ｎａをカウントする（ステップＳ２６）。続いて、監視レベルＥｃ以下と判定された回数Ｎａが、ステップＳ１４で設定された上限値Ｎｃよりも多いか否かを制御装置１４が判定する（ステップＳ２８）。
回数Ｎａが上限値Ｎｃよりも多い場合、所望の位置にこだわることなく、位置監視用プローブ１１を上下方向に移動させた際に、形状反射エコーの高さが最も高くなる位置に位置監視用プローブ１１を設置する（ステップＳ３０）。複数回（本実施形態の場合は１０回）以上計測しても形状反射エコーの高さが監視レベルＥｃ以下となる場合、翼溝部２の下側角部２ａが変形等している可能性があるためである。このときの計測位置をロータディスク１の側面１ａにマーキングする（ステップＳ３２）。
続いて、探傷用プローブ１２から超音波を照射して応力腐食割れｃの大きさ、高さ位置を検出する。
一方、ステップＳ２８において、回数Ｎａが上限値Ｎｃ以下の場合、再び、ステップＳ１８を実施する。
【００４０】
上述した各ステップを実施して、ロータディスク１全周にわたって探傷装置１０を走査（ステップＳ２２）したら、探傷作業を終了する。
【００４１】
上述したように、本実施形態に係る探傷装置１０によれば、位置監視用プローブ１１と探傷用プローブ１２とを連結する連結材１３を備え、位置監視用プローブ１１と連動して探傷用プローブ１２が位置監視用プローブ１１と同じ方向へ移動するように構成されているため、翼溝部２の下側角部２ａの検出に最適な位置に位置監視用プローブ１１を設置することで、翼溝部２の応力腐食割れｃの探傷に最適な位置に探傷用プローブ１２を配置することができる。これにより、作業員の技量にかかわらず、応力腐食割れｃの大きさ、高さ位置等を正確に検出することができる。また、探傷用プローブ１２の位置決めが容易になり、走査を短時間で実施することができる。
また、探傷装置１０を用いてフェイズドアレイ法によって探傷作業を行った場合、応力腐食割れｃによって生じるエコー以外に、形状反射エコーやロータディスク１の肌荒れ等によるノイズエコーも受信する。このため、形状反射エコーやノイズエコーを除去しなければならないが、探傷データの精度が優れているため、波形処理を行うことによって、応力腐食割れｃによる反射エコーを精度良く検出することができる。
【００４２】
次に、本発明の第二実施形態について説明する。以下の説明において、上述した実施形態に対応する部分には同一の符号を付して説明を省略し、主に相違点について説明する。
【００４３】
図６は、本発明の第二実施形態に係る探傷装置２１をロータディスク１に設置した状態を拡大して示す側断面図である。
図６に示すように、探傷装置２１は、探傷用プローブ１２と、探傷用プローブ１２から発信された超音波の反射波を受信して、探傷用プローブ１２とロータディスク１との接触状況を確認するための受信用プローブ２０と、制御装置１４と、を備えている。
【００４４】
受信用プローブ２０はロータディスク１の肩部３に設置されている。受信用プローブ２０とロータディスク１との間には、ウェッジ１５が介在している。
探傷用プローブ１２から照射された超音波は、ウェッジ１５を介してロータディスク１に入射し、翼溝部２の側面２ｂで反射した反射エコー（以下、翼溝部２の側面２ｂで反射した反射エコーを側面反射エコーという）は、ウェッジ１５を介して受信用プローブ２０に受信される。
受信用プローブ２０は、側面反射エコーの高さが最も高くなる位置に設置されている。受信用プローブ２０は、探傷用プローブ１２に連結されていないので、任意の位置に設置することができる。
【００４５】
制御装置１４は、受信用プローブ２０で受信した側面反射エコーの強度に基づいて、当該側面反射エコーの高さが予め設定された監視レベルＳｃよりも大きいか否かを判定する（詳細は後述する）。側面反射エコーの高さが監視レベルＳｃ以下の場合、警報を発する。また、監視レベルＳｃ以下であると判定した回数Ｎｂをカウントする。例えば、側面反射エコーの高さが監視レベルＳｃ以下であると最初に判定された場合、回数Ｎｂは１となる。その後、探傷用プローブ１２の接触状態確認後、再び測定したときに、側面反射エコーの高さが監視レベルＳｃ以下であると判定された場合、回数Ｎｂは２となる。ただし、側面反射エコーの高さが監視レベルＳｃ以下であると判定された後、探傷用プローブ１２の接触状態を確認して、再び測定したときに、側面反射エコーの高さが監視レベルＳｃを超えた場合、回数Ｎｂはリセットされて０となる。
【００４６】
次に、上述した構成からなる探傷装置２１を用いた応力腐食割れｃ位置の探傷方法について説明する。
図７は、探傷装置２１を用いた応力腐食割れｃの探傷フロー図である。
図７に示すように、まず、探傷用プローブ１２及び受信用プローブ２０をそれぞれロータディスク１の側面１ａ、肩部３に設置して、探傷用プローブ１２から超音波を発信するとともに、翼溝部２の側面２ｂで反射した側面反射エコーを受信用プローブ２０で受信する。そして、側面反射エコーの高さを複数回測定するとともに、側面反射エコーの最大値（以下、側面反射エコー最大レベルＳｍａｘという）を取得する（ステップＳ５０）。
【００４７】
次に、取得された複数の側面反射エコーの高さの分布が正規分布に従うと仮定し、監視レベルＳｃを設定する（ステップＳ５２）。
監視レベルＳｃは、Ｓｃ＝Ｓｍａｘ×（１−ｋｓ）で算出される。ここで、ｋｓとは、側面反射エコーの高さのばらつき係数ｋｓである。このばらつき係数ｋｓは、信頼区間を９５％と設定した場合、σを標準偏差とするとｋｅ＝２σとなる。なお、ばらつき係数ｋｓは、この値に限定されるものではなく、設計等により適宜決定される。
受信用プローブ２０で計測される側面反射エコーの高さ（Ｂ／Ｂ０）が、監視レベルＳｃを超えている場合、探傷用プローブ１２はロータディスク１の側面１ａに良好に接触しているものとする。
一方、受信用プローブ２０で計測される側面反射エコーの高さが、監視レベルＳｃ以下の場合、探傷用プローブ１２とロータディスク１の側面１ａとの接触状態が不良である。係る場合には、探傷用プローブ１２とウェッジ１５との接触状態、ウェッジ１５とロータディスク１の側面１ａとの接触状態等を確認して、探傷用プローブ１２の接触不良を解消する。
【００４８】
次に、探傷用プローブ１２の接触状態を確認する回数の上限値Ｎｃを設定する（ステップＳ５４）。探傷用プローブ１２が接触不良になると、側面反射エコーの高さが、監視レベルＥｃ以下となる。係る場合は、探傷用プローブ１２の接触不良を解消するために、探傷用プローブ１２やウェッジ１５を一旦、ロータディスク１の側面１ａから離して、再び接触させる必要がある。このとき、探傷用プローブ１２の接触状態が良好か否かを、探傷用プローブ１２から超音波を照射させて側面反射エコーの高さを確認することにより、判断する。探傷用プローブ１２及びウェッジ１５を一旦、ロータディスク１の側面１ａから離した後、再び接触させて、その後、探傷用プローブ１２から超音波を照射して側面反射エコーの高さを確認するまでの一連の作業を１セットとして、これらの一連の作業を行う回数の上限値Ｎｃを設定する。本実施形態においては、上限値Ｎｃを１０回としたが、この回数に限定されるものではなく、設計等により適宜決定すればよい。
【００４９】
次に、探傷作業を開始する（ステップＳ５６）。まず、探傷用プローブ１２から超音波を照射するとともに、応力腐食割れｃから反射された反射エコーを探傷用プローブ１２で受信する。また、翼溝部２の側面２ｂで反射した側面反射エコーを受信用プローブ２０で受信する。
【００５０】
次に、側面反射エコーの高さ（Ｂ／Ｂ０）が、監視レベルＳｃよりも大きいか否かを制御装置１４が判定する（ステップＳ５８）。
側面反射エコーの高さが監視レベルＳｃよりも大きいと判定された場合は、探傷用プローブ１２とロータディスク１との接触状態は良好である。係る場合は、続いて、応力腐食割れｃの大きさ、高さ位置を検出する。応力腐食割れｃの大きさ等を検出した後、ロータディスク１の側面１ａに沿って周方向へ探傷装置２１を移動させる（ステップＳ６０）。
【００５１】
ステップＳ５８において、側面反射エコーの高さが監視レベルＳｃ以下と判定された場合、探傷用プローブ１２を側面１ａから離して接触状態を確認する（ステップＳ６４）。
また、制御装置１４が、監視レベルＳｃ以下と判定された回数Ｎｂをカウントする（ステップＳ６６）。続いて、監視レベルＳｃ以下と判定された回数Ｎｂが、ステップＳ５４で設定された上限値Ｎｃよりも多いか否かを制御装置１４が判定する（ステップＳ６８）。
回数Ｎｂが上限値Ｎｃよりも多い場合には、探傷用プローブ１２をロータディスク１の側面１ａに接触させた状態で側面反射エコーの高さが最も高くなる位置に位置監視用プローブ１１を設置する（ステップＳ７０）。複数回（本実施形態の場合は１０回）計測しても側面反射エコーの高さが監視レベルＳｃ以下となる場合、探傷用プローブ１２のカップリングに不良の可能性があるためである。このときの計測位置をロータディスク１の側面１ａにマーキングする（ステップＳ７２）。
続いて、探傷用プローブ１２から超音波を照射して応力腐食割れｃの大きさ、高さ位置を検出する。
一方、ステップＳ６８において、回数Ｎｂが上限値Ｎｃ以下の場合、再び、ステップＳ５８を実施する。
【００５２】
上述した各ステップを実施して、ロータディスク１全周にわたって探傷装置２１を走査（ステップＳ６２）したら、探傷作業を終了する。
【００５３】
なお、本実施形態においては、受信用プローブ２０をロータディスク１の肩部３に配置する場合について説明したが、この位置に限定されるものではなく、図８に示すように、ロータディスク１の側面１ａに配置してもよい。
【００５４】
上述したように本実施形態に係る探傷装置２１によれば、探傷用プローブ１２及び受信用プローブ２０を備えているため、側面反射エコーを受信用プローブ２０で受信することができる。そして、この側面反射エコーの高さによって、探傷用プローブ１２がロータディスク１に良好に接触しているか否かを判定することができる。これにより、探傷用プローブ１２の接触不良がなくなるため、作業員の技量にかかわらず、応力腐食割れｃの大きさ、高さ位置等を正確に検出することができる。
【００５５】
次に、本発明の第三実施形態について説明する。第三実施形態は、第二実施形態の受信用プローブ２０を第一実施形態の探傷装置３０に追加したものである。
図９は、本発明の第三実施形態に係る探傷装置３０をロータディスク１に設置した状態を拡大して示す側断面図である。
図９に示すように、探傷装置３０は、位置監視用プローブ１１と、探傷用プローブ１２と、位置監視用プローブ１１と探傷用プローブ１２とを連結する連結材１３と、受信用プローブ２０と、制御装置１４と、を備えている。位置監視用プローブ１１及び探傷用プローブ１２をロータディスク１の側面１ａに設置して、受信用プローブ２０をロータディスク１の肩部３に設置する。この探傷装置３０を用いた応力腐食割れｃ位置の探傷方法について説明する。
【００５６】
図１０は、探傷装置３０を用いた応力腐食割れｃの探傷フロー図である。
図１０に示すように、まず、第一実施形態と同様に、ステップＳ１０からステップＳ１４までを実施する。また、第二実施形態と同様に、ステップＳ５０からステップＳ５４までを実施する。
次に、探傷作業を開始する（ステップＳ１０６）。まず、翼溝部２の下側角部２ａに向かって位置監視用プローブ１１から超音波を発信し、翼溝部２の下側角部２ａで反射した形状反射エコーを受信する。
次に、第一実施形態と同様に、ステップＳ１８を実施する。形状反射エコーの高さが監視レベルＥｃよりも大きいと判定された場合、位置監視用プローブ１１は所定の位置に設置されている。係る場合は、応力腐食割れｃに向かって探傷用プローブ１２から超音波を照射するとともに、応力腐食割れｃから反射された反射エコーを探傷用プローブ１２で受信する。また、翼溝部２の側面２ｂで反射した側面反射エコーを受信用プローブ２０で受信する。
次に、第二実施形態と同様に、ステップＳ５８を実施する。側面反射エコーの高さが監視レベルＳｃよりも大きいと判定された場合は、探傷用プローブ１２とロータディスク１との接触状態は良好である。係る場合は、続いて、応力腐食割れｃの大きさ、高さ位置を検出する。応力腐食割れｃの大きさ等を検出したら、ロータディスク１の側面１ａに沿って周方向へ探傷装置３０を移動させる（ステップＳ１１０）。
【００５７】
一方、ステップＳ１８において、形状反射エコーの高さが監視レベルＥｃ以下と判定された場合、第一実施形態と同様に、ステップＳ２４からステップＳ３２を実施する。
また、ステップＳ５８において、側面反射エコーの高さが監視レベルＳｃ以下と判定された場合、第二実施形態と同様に、ステップＳ６４からステップＳ７２を実施する。
【００５８】
上述した各ステップを実施してロータディスク１全周にわたって探傷装置３０を走査（ステップＳ１１２）したら、探傷作業を終了する。
【００５９】
上述したように、本実施形態に係る探傷装置３０によれば、連結材１３を備えているため、位置監視用プローブ１１と連動して探傷用プローブ１２を位置監視用プローブ１１と同じ方向へ移動させることができる。したがって、翼溝部２の下側角部２ａの検出に最適な位置に位置監視用プローブ１１を設置することで、翼溝部２の応力腐食割れｃの探傷に最適な位置に探傷用プローブ１２を配置することができる。
また、受信用プローブ２０を備えているため、側面反射エコーを受信用プローブ２０で受信することができる。そして、この側面反射エコーの高さによって、探傷用プローブ１２がロータディスク１に良好に接触しているか否かを判定することができる。これにより、探傷用プローブ１２の接触不良がなくなる。
したがって、作業員の技量にかかわらず、応力腐食割れｃの大きさ、高さ位置等を正確に検出することができる。
【符号の説明】
【００６０】
１  ロータディスク
１ａ  側面
２  翼溝部
２ａ  下側角部
２ｂ  側面
３  肩部
４  タービンブレード
５  翼根部
６  シュラウド
１０  探傷装置
１１  位置監視用プローブ
１２  探傷用プローブ
１３  連結材
１４  制御装置
１５  ウェッジ
１６  超音波振動子
２０  受信用プローブ
２１  探傷装置
３０  探傷装置
【図１】
0005822616.tif 000002
【図２】
0005822616.tif 000003
【図３】
0005822616.tif 000004
【図４】
0005822616.tif 000005
【図５】
0005822616.tif 000006
【図６】
0005822616.tif 000007
【図７】
0005822616.tif 000008
【図８】
0005822616.tif 000009
【図９】
0005822616.tif 000010
【図１０】
0005822616.tif 000011
【図１１】
0005822616.tif 000012